(57)【要約】【課題】絵柄を多重に表示するリール表示装置を実現し、多様な形態で絵柄を表示することで遊技の興趣が向上する等の遊技機を提供する。【解決手段】遊技機に搭載されるリール表示装置であって、所定の回転中心軸周りで回転可能な多重軸構造の軸部材に３個以上のリールを固着することで、リールを多重に配置する。各リールの外周面に描かれた絵柄を多重に表示することで、様々な態様又は組合せで絵柄を表示し、遊技の興趣を向上させる。【選択図】    図５
2004357853.tif 000002
【特許請求の範囲】
【請求項１】
スロットマシン等の遊技機に搭載されるリール表示装置であって、
回転半径方向に多重に配置された３個以上のリールと、前記各リールに夫々固着し所定の回転中心軸周りで回転可能な多重軸構造の軸部材と、駆動モータと、前記駆動モータの回転力を前記各軸部材に伝達する伝達手段とを備えることを特徴とするリール表示装置。
【請求項２】
スロットマシン等の遊技機に搭載されるリール表示装置であって、
第１軸部材の一端側に固着された第１リールと、第２軸部材の一端側に固着された第２リールと、第３軸部材の一端側に固着された第３リールと、第１駆動モータと、第２駆動モータと、第３駆動モータと、前記第１駆動モータの回転力を前記第１軸部材に伝達する第１伝達手段と、前記第２駆動モータの回転力を前記第２軸部材に伝達する第２伝達手段と、前記第３駆動モータの回転力を前記第３軸部材に伝達する第３伝達手段とを備え、
回転中心軸に沿って前記第２軸部材に貫通する軸孔に前記第１軸部材が挿入され、前記回転中心軸に沿って前記第３軸部材に貫通する軸孔に前記第２軸部材が挿入され、前記第１、第２及び第３リールが回転半径方向に重ねて配置されていることを特徴とするリール表示装置。
【請求項３】
前記第１、第２及び第３駆動モータは、前記回転中心軸と平行に並べて設置されていることを特徴とする請求項２に記載のリール表示装置。
【請求項４】
前記第１、第２又は第３伝達手段の少なくとも一つは、減速機構であることを特徴とする請求項３又は４に記載のリール表示装置。
【請求項５】
前記第１、第２及び第３リールの外周面に、透明又は着色された半透明領域を含む絵柄が描かれた請求項２に記載のリール表示装置を搭載する遊技機。
【発明の詳細な説明】
【０００１】
【発明の属する技術分野】
本発明は、スロットマシンその他の遊技機と、それに搭載されるリール表示装置に関する。
【０００２】
【従来の技術】
従来、例えばスロットマシン等の遊技機に搭載され、外周面に複数種類の絵柄が描かれた回転リールが回転軸線方向に３個並列状態で設置されているリール表示装置が知られている。スロットマシンに搭載されるリール表示装置は、遊技者からの操作指示に従って回転リールが回転し所定回転数に回転制御される。また、回転停止の指示を受けると制動制御が行われ回転リールが停止する。
【０００３】
このようなリール表示装置を備える遊技機では、回転リールの停止時に表示される絵柄の種類を所定のラインに揃え、その揃えられた絵柄の組合せに応じて遊技の入賞が決められている。
【０００４】
ところで近年、例えば特許文献１には、図１２に示すような回転リールが二重に配置された二重リール構造のリール表示装置が開示されている。このリール表示装置は、外リール５０１に内リール５０２が挿入され、駆動モータ５１１、５１２によって夫々が回転するようになっている。各駆動モータ５１１、５１２は、各リールの回転軸線上において互いに対向する向きに設置されている。
【０００５】
特許文献１のリール表示装置によれば、内リール５０２の周面に沿って様々に変化する色模様を配置し、外リール５０１の周面に光透過性を有する絵柄を配置することで、内リール５０２の色模様を背景に外リール５０１の絵柄が透けて見えるため、外リール５０１の絵柄を様々な組合せの色で表示できるようになっている。
【０００６】
【特許文献１】
特許第２８６５５９５号明細書
【０００７】
【発明が解決しようとする課題】
しかし、回転リールの周面に描かれた絵柄を更に多様に表示させるために、例えば３個のリールを回転半径方向に多重に配置させた多重リール構造とする場合に、リールが二重に配置された従来のリール表示装置構造では、各リールを回転させる各駆動モータが互いに対向して設置されているので、第３のリールを新たに追加設置させようとすると回転軸部分が干渉してしまう。
【０００８】
このため、従来の構造に基づいて３個以上のリールを多重に配置する多重リール構造を実現することはできなかった。
【０００９】
本発明は、こうした課題に鑑みてなされたものであり、絵柄を多重に表示する多重リール構造のリール表示装置を実現し、多様な形態で絵柄を表示することで視覚的な効果を一層高め、遊技の興趣を向上させる等の遊技機を提供することを目的とする。
【００１０】
【課題を解決するための手段】
請求項１に記載の発明は、スロットマシン等の遊技機に搭載されるリール表示装置であって、回転半径方向に多重に配置された３個以上のリールと、前記各リールに夫々固着し所定の回転中心軸周りで回転可能な多重軸構造の軸部材と、駆動モータと、前記駆動モータの回転力を前記各軸部材に伝達する伝達手段とを備えることを特徴とする。
【００１１】
請求項１に記載のリール表示装置によれば、駆動モータから出力される回転力が伝達手段を介して多重に配置された各リールの軸部材に伝達され、各リールが回転する。
【００１２】
各軸部材を所定の回転中心軸周りで回転可能な多重軸構造とすることで、各軸部材の一方側に各リールを固着し、各軸部材の他方側に駆動モータ及び伝達手段をまとめて設置することができる。これにより、駆動モータ及び伝達手段からなる駆動機構をリールの内側に収容し、３以上のリールが多重に配置されたリール表示装置を実現することができる。
【００１３】
請求項２に記載の発明は、スロットマシン等の遊技機に搭載されるリール表示装置であって、第１軸部材の一端側に固着された第１リールと、第２軸部材の一端側に固着された第２リールと、第３軸部材の一端側に固着された第３リールと、第１駆動モータと、第２駆動モータと、第３駆動モータと、前記第１駆動モータの回転力を前記第１軸部材に伝達する第１伝達手段と、前記第２駆動モータの回転力を前記第２軸部材に伝達する第２伝達手段と、前記第３駆動モータの回転力を前記第３軸部材に伝達する第３伝達手段とを備え、回転中心軸に沿って前記第２軸部材に貫通する軸孔に前記第１軸部材が挿入され、前記回転中心軸に沿って前記第３軸部材に貫通する軸孔に前記第２軸部材が挿入され、前記第１、第２及び第３リールが回転半径方向に重ねて配置されていることを特徴とする。
【００１４】
請求項２に記載のリール表示装置によれば、第１リールの回転軸としての第１軸部材が第２リールの回転軸としての第２軸部材の軸孔に挿入され、更に、第２軸部材が第３リールの回転軸としての第３軸部材の軸孔に挿入されることで、第１、第２及び第３リールが共通の回転中心軸周りで回転可能になるとともに、各リールを回転半径方向に重ねて配置することができる。すなわち、３個のリールが多重に配置された多重リール構造のリール表示装置を実現することができる。
【００１５】
請求項３に記載の発明は、請求項２に記載のリール表示装置であって、前記第１、第２及び第３駆動モータは、前記回転中心軸と平行に並べて設置されていることを特徴とする。
【００１６】
請求項３に記載の遊技機のリール表示装置によれば、軸部材の一方側に回転力を付与する第１、第２及び第３駆動モータを回転中心軸と平行に並べて設置することで、リールの内側に各駆動モータを収容することができる。
【００１７】
請求項４に記載の発明は、請求項３又は４に記載のリール表示装置であって、前記第１、第２又は第３伝達手段の少なくとも一つは、減速機構であることを特徴とする。
【００１８】
請求項４に記載の遊技機のリール表示装置によれば、減速機構を介して第１、第２、又は第３駆動モータからの回転力を夫々第１、第２、又は第３軸部材に伝達する。
【００１９】
請求項５に記載の発明は、請求項２に記載のリール表示装置を搭載する遊技機であって、前記第１、第２及び第３リールの外周面に、透明又は着色された半透明領域を含む絵柄が描かれていることを特徴とする。
【００２０】
請求項５に記載の遊技機によれば、遊技機に搭載されたリール表示装置が、該リール表示装置の第１、第２及び第３リールの外周面に描かれた透明又は着色された半透明領域を含む絵柄を多重に表示することで、様々な組合せの表示態様で絵柄を演出表示する。これにより、遊技機の視覚的な効果が高まり遊技の興趣を高めることができる。
【００２１】
【発明の実施の形態】
以下、本発明の好適な実施の形態として、３個の回転リールが回転軸線方向に並べて設置されたリール表示装置を搭載するスロットマシンを例に、図面を参照しながら説明する。
【００２２】
まず、スロットマシンの全体構成について説明する。図１は、スロットマシンの外部構造を表した正面図、図２は、フロントドアを開放した状態におけるスロットマシンの内部構造を表した平面図、図３は、スロットマシンの制御システム構成を表した回路ブロック図である。
【００２３】
図１において、スロットマシンＳＭは、遊技者等に面するフロントドアＦＤと、フロントドアＦＤが開閉可能に取り付けられた後述の箱形形状の筐体ＫＴを備えて構成されている。
【００２４】
フロントドアＦＤには、硬質プラスチック等で成形されたいわゆる化粧板に相当する上部パネル部ＵＰと中部パネル部ＭＰと下部パネル部ＬＰが設けられ、これらのパネル部ＵＰ、ＭＰ、ＬＰによってフロントドアＦＤの前面が覆われている。
【００２５】
上部パネル部ＵＰには、蛍光灯や高輝度発光ダイオード等で形成された上部ランプＵ１と、後述するスピーカＳＲ、ＳＬの鳴動音を出力させるスリット溝等が形成された放音部Ｕ２、Ｕ３と、副表示部Ｕ４が設けられている。
【００２６】
副表示部Ｕ４は、上部パネル部ＵＰに一体に取り付けられた透明な硬質プラスチック板等で形成された略長方形の表示窓ＷＳと、表示窓ＷＳの裏面側に取り付けられた後述する表示ユニットＳＤＵとによって構成され、表示ユニットＳＤＵに表示される映像を表示窓ＷＳを通して視認することが可能となっている。
【００２７】
中部パネル部ＭＰには、筐体ＫＴ内に取り付けられている３個の回転リールＲ１、Ｒ２、Ｒ３を視認可能とする主表示部としての表示窓ＷＲが設けられている。すなわち、中部パネル部ＭＰの略中央部分に、透明な硬質プラスチック板等で形成された略長方形の表示窓ＷＲが一体に取り付けられており、遊技者等は表示窓ＷＲを介して、筐体ＫＴ内に取り付けられている３個の回転リールＲ１、Ｒ２、Ｒ３を視認することができ、更に、各回転リールＲ１、Ｒ２、Ｒ３に描かれている絵柄を視認することができるようになっている。なお、各回転リールを備えたリール表示装置１００の詳細な説明については、後述することとする。
【００２８】
また、中部パネル部ＭＰのパネル面には、スロットマシンの使用方法やゲーム内容の説明、入賞時に払出される遊技用メダル（以下、単に「メダル」という）の枚数等の説明が、視覚効果を高めた絵柄や文字、模様等によって描かれている。
【００２９】
また、中部パネル部ＭＰの側部には、蛍光灯や高輝度発光ダイオードで形成されたサイドランプＭ１、Ｍ２が設けられ、ゲームの進行状況等に応じてこれらのサイドランプＭ１、Ｍ２が点滅等することで、演出効果を高めるようになっている。
【００３０】
中部パネル部ＭＰの下側には、遊技者等がスロットマシンＳＭに対して指示又は提示するための操作部ＭＳが設けられている。
【００３１】
すなわち、操作部ＭＳには、メダルを投入するためのメダル投入部Ｍ３と、１ゲーム当たりのメダル数を提示するためのベットボタンと呼ばれる３個の押し釦スイッチＭ４、Ｍ５、Ｍ６と、ゲーム開始を指示するためのスタートレバーＭ７と、ゲーム終了の提示をするための３個のストップボタンＭ８、Ｍ９、Ｍ１０とが設けられている。
【００３２】
より具体的に述べると、メダル投入部Ｍ３は、遊技者等がゲームを行うためのメダルを投入するために設けられている。押し釦スイッチＭ４は、１ゲーム当たり３枚のメダルを提示するために設けられている。押し釦スイッチＭ５は、１ゲーム当たり２枚のメダルを提示するために設けられている。押し釦スイッチＭ６は、１ゲーム当たり１枚のメダルを提示するために設けられている。
【００３３】
スタートレバーＭ７は、球形の操作ノブを備えた揺動可能な操作旱を備え、操作旱が傾倒操作されるとオン、操作旱から手が離されるとスプリングの付勢力によって自動的に元の傾きに戻ってオフ状態となるユニットで形成されている。
【００３４】
ストップボタンＭ８、Ｍ９、Ｍ１０は、何れも押し釦スイッチで形成されており、回転中の回転リールＲ１、Ｒ２、Ｒ３を夫々独立に停止させるために設けられている。
【００３５】
すなわち、遊技者等がベットボタンＭ４、Ｍ５、Ｍ６の何れかをオン操作して１ゲーム当たりのメダル数を提示した後、スタートレバーＭ７をオン操作すると、ゲーム開始となり、回転リールＲ１、Ｒ２、Ｒ３が回転を開始する。
【００３６】
引き続き、回転リールＲ１、Ｒ２、Ｒ３の回転中に遊技者等が、ストップボタンＭ８、Ｍ９、Ｍ１０を任意の順番でオン操作すると、後述する主制御ユニットＭＣＵの制御の下で、そのオン操作された順序に従ってストップボタンに対応している回転リールを制動させていき、最終的に全ての回転リールを停止させる。
【００３７】
そして、３個の回転リールＲ１、Ｒ２、Ｒ３に描かれている絵柄が所定の組合せで揃うと入賞となり、入賞の種類に応じた枚数のメダルが遊技者等に対して払出される。
【００３８】
操作部ＭＳには、フロントドアＦＤを施錠するための施錠部ＫＹが設けられており、スロットマシンＳＭの管理者等が施錠部ＫＹに所定の鍵を挿入して開錠操作すると、蝶番機構によって筐体ＫＴに取り付けられているフロントドアＦＤを前方へ開くことができ、また、フロントドアＦＤを閉じると、施錠部ＫＹが自動的にフロントドアＦＤと筐体ＫＴとを施錠するようになっている。
【００３９】
下部パネル部ＬＰには、スロットマシンＳＭのゲーム内容を紹介等するための表示領域Ｌ１と、表示領域Ｌ１の下側に設けられた受皿Ｌ２と、当該受皿Ｌ２にメダル等を排出するための排出口Ｌ３と、後述のスピーカＳＷの鳴動音を出力させる放音部Ｌ４が設けられている。
【００４０】
ここで、表示領域Ｌ１のパネル面には、例えばスロットマシンＳＭに付けられている名称やゲーム内容の一場面を表した情景や絵柄等の画像が描かれた半透明の表示パネルが設けられている。そして、当該表示パネルの裏面側に設けられている蛍光灯や高輝度発光ダイオード等の照明装置によって当該表示パネルを裏面照明することにより、視覚効果や演出効果を高めた表示を行うようになっている。
【００４１】
次に、図２を参照して、フロントドアＦＤの裏面構造と、筐体ＫＴの内部構造を説明する。なお、図２は、上述の施錠部ＫＹを開錠してフロントドアＦＤを筐体ＫＴから開いた状態を表している。通常は、フロントドアＦＤが筐体側に閉じられており、施錠部ＫＹが筐体ＫＴの側端に設けられている係合部材ＫＹＣと係合することで施錠されるようになっている。
【００４２】
図２において、フロントドアＦＤの裏面の上部には、上部ランプＵ１が取り付けられ、上部ランプＵ１の下方には、例えば小型の液晶ディスプレイやＣＲＴ等で形成された表示ユニットＳＤＵが、その表示面を表示窓ＷＳに向けて取り付けられている。
【００４３】
また、表示ユニットＳＤＵの両側には、スピーカＳＲ、ＳＬが放音部Ｕ２、Ｕ３に対応して設けられている。
【００４４】
表示ユニットＳＤＵの更に下側に、表示窓ＷＲが中部パネル部ＭＰに一体化されて設けられている。フロントドアＦＤが閉じられると、表示窓ＷＲと筐体ＫＴ内に設けられているリール表示装置１００とが対向し、リール表示装置１００の３個の回転リールＲ１、Ｒ２、Ｒ３を、表示窓ＷＲを介して視認することが可能となっている。また、表示窓ＷＲの上端には、回転リールＲ１、Ｒ２、Ｒ３を照明する蛍光灯等の照明装置ＬＭＰが取り付けられている。
【００４５】
表示窓ＷＲの下側には、ベットボタンとしての押し釦スイッチＭ４、Ｍ５、Ｍ６を有するベットボタンユニットＭＵ１と、スタートレバーＭ７を有するスタートレバーユニットＭＵ２と、ストップボタンＭ８、Ｍ９、Ｍ１０を有するストップボタンユニットＭＵ３が設けられている。
【００４６】
すなわち、各スイッチ類Ｍ４〜Ｍ１０は、夫々の機能毎に着脱可能なユニット装置として構成されており、フロントドアＦＤの裏面側の所定箇所に、嵌着等によって取り付けられている。
【００４７】
更に、メダル投入部Ｍ３に対応する位置に、投入物を正規のメダルか異物かによって振り分けるメダル管理ユニットＭＵ４が設けられ、メダル管理ユニットＭＵ４の下方には、正規のメダルをホッパ装置ＨＰ側へ案内して貯留させる第１案内部材Ｇ１と、異物を排出口Ｌ４側に案内する第２案内部材Ｇ２が設けられている。
【００４８】
すなわち、筐体ＫＴ内には、メダル貯留手段としてのホッパ装置ＨＰが設けられており、フロントドアＦＤが筐体ＫＴ側に閉じられた状態では、第１案内部材Ｇ１がメダル管理ユニットＭＵ４とホッパ装置ＨＰとの間に介在し、投入された正規のメダルをホッパ装置ＨＰ側へ案内する。
【００４９】
また、ホッパ装置ＨＰから出力される払い出し用メダルを排出口Ｌ３側へ案内する第３の案内部材Ｇ３が、第２案内部材Ｇ２の下側に設けられている。
【００５０】
下部パネル部ＬＰに形成されている放音部Ｌ４の裏面側には、例えば重低音を出力するスピーカＳＷが設けられている。
【００５１】
筐体ＫＴ内の上部に、スロットマシンＳＭ全体の動作を集中管理する主制御ユニットＭＣＵが設けられている。
【００５２】
主制御ユニットＭＣＵの下側であって筐体ＫＴのほぼ中央に、リール表示装置１００が設けられている。このリール表示装置１００は、ステッピングモータ（図示略）等で駆動される円筒状の回転リールＲ１、Ｒ２、Ｒ３を夫々備えた３個のリールユニットＲＵから構成されている。
【００５３】
そして、フロントドアＦＤが閉じられると、各回転リールＲ１、Ｒ２、Ｒ３が表示窓ＷＲに対向し、各回転リールＲ１、Ｒ２、Ｒ３の前面を表示窓ＷＲを介して視認することが可能となっている。
【００５４】
リール表示装置１００の下側には、上述のホッパ装置ＨＰが設けられている。ここで、ホッパ装置ＨＰは、メダル管理ユニットＭＵ４から第１の案内部材Ｇ１を介して送られてくる正規のメダルと、図示しないメダル供給システムから追加供給される正規のメダルとを受容する箱形形状のメダル貯留部ＨＰ１と、メダル貯留部ＨＰ１内に収容された複数のメダルを攪拌しつつ一枚ずつに整列させる整列機構ＨＰ２を備えて構成されている。
【００５５】
更に、メダル貯留部ＨＰ１に近接して補助貯留部ＨＰ３が設けられており、メダル貯留部ＨＰ１でオーバーフローとなったメダルを補助貯留部ＨＰ３に蓄えておくようになっている。
【００５６】
また、ホッパ装置ＨＰの左側には、スロットマシンＳＭ全体の動作電力を賄う電源装置ＰＷＵが設けられている。
【００５７】
次に、スロットマシンＳＭの動作を制御する制御システムを、図３を参照し説明する。
【００５８】
主制御ユニットＭＣＵは、図３のブロック図に示すように、スロットマシンＳＭの動作全体を制御するマイクロプロセッサ（ＭＰＵ）２００と、マイクロプロセッサ２００に制御を実行させるためのシステムプログラム等が予め記憶されたメモリ（ＲＯＭ）２０１と、マイクロプロセッサ２００の作業記憶領域としての記憶部（ＲＡＭ）２０２の他、周辺機器または周辺回路との制御信号等の入出力を行うための入出力ポート２０３を備えている。
【００５９】
すなわち、ベットボタンユニットＭＵ１、スタートレバーユニットＭＵ２、ストップボタンユニットＭＵ３は、入出力ポート２０３に接続され、各ユニットからの操作信号が夫々マイクロプロセッサ２００に供給される。
【００６０】
また、メダル管理ユニットＭＵ４、及びホッパ装置ＨＰは、入出力ポート２０３を介してマイクロプロセッサ２００との制御信号等の入出力が行なわれる。
【００６１】
また、主制御ユニットＭＣＵは、上部ランプＵ１を点灯させるためのランプ駆動回路２１１、サイドランプＭ１、Ｍ２を点灯させるためのランプ駆動回路２１２、及び効果音を再生してスピーカＳＲ、ＳＬ、ＳＷを鳴動させる音響コントローラ２１３を備え、夫々入出力ポート２０３を介してマイクロプロセッサ２００に接続されている。また、主制御ユニットＭＣＵは、表示ユニットＳＤＵに設けられた表示装置コントローラ３２０と接続されている。
【００６２】
そして、ゲームの進行等に応じてマイクロプロセッサ２００から指令される演出制御の内容に従って、ランプ駆動回路２１１、２１２は各ランプＵ１、Ｍ１、Ｍ２による照明演出の制御、音響コントローラ２１３はスピーカＳＬ，ＳＲ，ＳＷによる音響演出の制御、表示装置コントローラ３２０は例えば液晶ディスプレイである表示部３１０による演出表示の制御を行う。
【００６３】
また、主制御ユニットＭＣＵは、リール表示装置１００の各リールユニットＲＵに設けられている駆動モータとしてのステッピングモータ１２１、１２２、１２３の回転動作を制御するモータコントローラ２２１、２２２、２２３を備えている。また、主制御ユニットＭＣＵには、各リールユニットに設けられている後述する基準位置センサ１３１、１３２、１３３が接続され、これらの基準位置センサ１３１、１３２、１３３からの検出信号が入出力ポート２０３を介してマイクロプロセッサ２００に入力される。
【００６４】
モータコントローラ２２１、２２２、２２３は、マイクロプロセッサ２００からの制御信号に基づいて、リールユニットＲＵのステッピングモータ１２１、１２２、１２３を駆動する駆動パルス信号を出力する。これにより、ステッピングモータ１２１、１２２、１２３に接続されている回転リール、詳しくは後述する第１リール１１１、第２リール１１２、及び第３リール１１３の回転動作が制御される。
【００６５】
リールユニットＲＵに備えられた各リール１１１、１１２、１１３が特定の基準位置（基準回転角度）にある時、基準位置センサ１３１、１３２、１３３はオン動作し検出信号を出力する。マイクロプロセッサ２００は、基準位置センサ１３１、１３２、１３３からの検出信号を入出力ポート２０３を介して入力することにより、回転リールの基準位置を知ることができる。また、この検出信号の周期を計測することで、回転リールの回転数を演算することができる。
【００６６】
マイクロプロセッサ２００は、この検出信号に基づいて各リール１１１、１１２、１１３を目標の回転数で回転させたり、または制動させる等の回転動作制御を正確に行うことができる。
【００６７】
次に、上述のスロットマシンＳＭに搭載されるリール表示装置１００について、図面を参照しながら説明する。
【００６８】
図４は、リール表示装置１００の外観構造を表した斜視図である。なお、同図において、観察面（すなわち、表示窓ＷＲ側）に対する法線方向を符号ｚ、回転リールの回転軸方向を符号ｘ、これらの方向ｘ，ｚに対し直交する方向を符号ｙで示している。
【００６９】
本リール表示装置１００は、回転リールＲ１、Ｒ２、Ｒ３を夫々有する３個のリールユニットＲＵから構成され、これらリールユニットＲＵがｘ方向に沿って並設されている。
【００７０】
回転リールＲ１、Ｒ２、Ｒ３は、夫々円筒状の第１リール１１１、第２リール１１２、及び第３リール１１３から構成されている。第２リール１１２は第１リール１１１よりもやや小さな直径を有し、第３リール１１３は第２リール１１２よりもやや小さな直径を有している。第１リール１１１はリールユニットＲＵの最も外側に配置され、第１リール１１１の内側に近接して第２リール１１２が配置され、更に第２リール１１２の内側に近接して第３リール１１３が配置されている。そして、各リールは、硬質プラスチックで形成された板状のユニット基板１８０に夫々共通の回転軸周りで回転可能に取り付けられている。すなわち、本リール表示装置１００のリールユニットＲＵは、複数のリールが回転半径方向に重ねて配置された、いわゆる多重リール構造となっている。
【００７１】
そして、これらリール１１１、１１２、１１３を駆動するためのステッピングモータと、ステッピングモータの回転力を各リールに伝達する後述の伝達手段がリールユニットＲＵ内に収容されている。
【００７２】
また、リールユニットＲＵには、図示しない主制御ユニットＭＣＵに接続される配線ケーブル１０３が備えられている。配線ケーブル１０３を介してステッピングモータを駆動するための駆動パルス信号、及び回転リールを照射する後述の発光ダイオードを発光させる駆動電流がリールユニットＲＵに供給され、またリールユニットＲＵ内の基準位置センサからの検出信号が主制御ユニットＭＣＵに出力される。
【００７３】
本リール表示装置１００は、各リールユニットＲＵのユニット基板１８０の上端側に硬質プラスチックで形成された天井部材１０１を、下端側に同じく硬質プラスチックからなる床板部材１０２を夫々嵌着させ、係着ピン１０４を押し込むことによって各リールユニットＲＵが天井部材１０１及び床板部材１０２に固定されている。
【００７４】
各リールユニットＲＵは、回転リールの外周面に描かれている絵柄の配列が夫々異なるのみで、基本的に同様の構造を有している。そこで、次に、回転リールＲ３を有するリールユニットＲＵについて詳細に説明する。
【００７５】
図５は、リールユニットＲＵの構成を表す分解斜視図である。図６は、図５に示すｙ方向から見たリールユニットＲＵの部分断面平面図である（回転リールの部分を断面で示している）。
【００７６】
本リール表示装置１００の回転リールは、上述したように第１リール１１１と、第２リール１１２と、第３リール１１３から構成されるものであり、夫々同一の回転軸（回転中心軸）周りで回転可能な多重リール構造となっている。
【００７７】
図５において、第１リール１１１は、駆動モータからの回転力を伝達するシャフト１５１が固着されるボス部１１１ａと、ボス部１１１ａから放射状に延在する複数本のアーム部１１１ｂと、アーム部１１１ｂの先端部分に接続する円環状のリング部１１１ｃと、リング部１１１ｃと同一径の円環状のリング部１１１ｄと、リング部１１１ｃ、１１１ｄを所定の間隔に保持しながら複数箇所で連結する棒状の連結部１１１ｅとから構成されている。また、リング部１１１ｄ上の一箇所には、ユニット基板１８０に向けて延びる舌片状の遮光片１１１ｆが形成されている。
【００７８】
そして、ボス部１１１ａ、アーム部１１１ｂ、リング部１１１ｃ、１１１ｄ、連結部１１１ｅ、遮光片１１１ｆは、プラスチック成形によって軽量且つ細い骨組み体として一体形成されている。
【００７９】
リング部１１１ｃ、１１１ｄの外周面には、例えば図８に示すような帯状のテープ部材としてのリールテープ１１１ｎが巻装されて貼り付けられている。
【００８０】
第２リール１１２、及び第３リール１１３は、第１リール１１１と同じくプラスチック成形された骨組み体からなり、同様の形状を有している。すなわち、第２リール１１２は、後述する中空シャフト１５２が固着され回転力が伝達されるボス部１１２ａと、ボス部１１２ａから放射状に延在する複数のアーム部１１２ｂと、リング部１１２ｃ、１１２ｄと、リング部を連結する連結部１１２ｅと、リング部１１２の一箇所に設けられた舌片状の遮光片１１２ｆが一体形成されている。
【００８１】
リング部１１２ｃ、１１２ｄの外周面には、例えば図９に示すような帯状のテープ部材としてのリールテープ１１２ｎが巻装されて貼り付けられている。
【００８２】
同様に、第３リール１１３は、後述する中空シャフト１５３が固着され回転力が伝達されるボス部１１３ａと、ボス部１１３ａから放射状に延在する複数のアーム部１１３ｂと、リング部１１３ｃ、１１３ｄと、リング部を連結する連結部１１３ｅと、リング部１１３ｄの一箇所に設けられた舌片状の遮光片１１３ｆが一体形成されている。
【００８３】
そして、リング部１１３ｃ、１１３ｄの外周面には、例えば図１０に示すような帯状のテープ部材としてのリールテープ１１３ｎが巻装されて貼り付けられている。
【００８４】
各リール１１１、１１２、１１３は、駆動モータとしてのステッピングモータ１２１、１２２、１２３から出力される回転力が伝達手段１５０を介して伝達され回転するようになっている。
【００８５】
つまり、伝達手段１５０内の減速機構を介してステッピングモータ１２１の回転力が付与されるシャフト１５１の一端が、第１リール１１１のボス部１１１ａに設けられた軸孔に嵌挿され、止めネジ１６１等が締め込まれて第１リール１１１のボス部１１１ａに固着されている。
【００８６】
また、伝達手段１５０内の減速機構を介してステッピングモータ１２２の回転力が付与される中空シャフト１５２の一端が、第２リール１１２のボス部１１２ａに設けられた軸孔に挿入され、中空シャフト１５２の先端部分に螺刻されたネジ部にナット１６２が締め込まれて第２リール１１２のボス部１１２ａに固着されている。
【００８７】
更に、伝達手段１５０内の減速機構を介してステッピングモータ１２３の回転力が付与される中空シャフト１５３の一端が、第３リール１１３のボス部１１３ａに設けられた軸孔に挿入され、中空シャフト１５３の先端部分に螺刻されたネジ部にナット１６３が締め込まれて第３リール１１３のボス部１１３ａに固着されている。
【００８８】
ここで、詳しくは後述するが、シャフト１５１、中空シャフト１５２、及び中空シャフト１５３により多重軸構造の回転軸部が形成されている。つまり、中空シャフト１５３には回転中心軸に沿って軸孔が貫通し、その軸孔に中空シャフト１５２が回転可能に挿入されているとともに、同じく中空シャフト１５２には回転中心軸に沿って軸孔が貫通し、その軸孔にシャフト１５１が回転可能に挿入されている。
【００８９】
伝達手段１５０を収容するギアケースにはステッピングモータ１２１、１２２、１２３が取り付けられている。そして、このギアケースの周縁から突出して形成された取付け部がユニット基板１８０の内側に突設されたブラケット１８１、１８２に図示しないネジにより固着される。
【００９０】
このように、リールユニットＲＵは、ユニット基板１８０に固着された伝達手段１５０を介して各リール１１１、１１２、１１３が夫々回転可能に取り付けられ、伝達手段１５０とステッピングモータ１２１、１２２、１２３が第３リール１１３の内側に収容されて設置されている。
【００９１】
また、第３リール１１３の内側から観察面に向けて光を照射する発光ダイオード１９２が上中下の３段に分けられて基板１９１に実装されている。そして、発光ダイオード１９２が実装された基板１９１は、金属からなる取付け具１９０を介してブラケット１８２に取り付けられている。
【００９２】
発光ダイオード１９２が第３リール１１３の内側から観察面側に向けて光を照射することにより、各リール１１１、１１２、１１３の周面に描かれている絵柄や色彩模様等を観察面側に強調して表示することができる。
【００９３】
図６において、基準位置センサ１３１、１３２、１３３は、検出光を透過または遮光させることでオンオフ動作する光学式センサである。
【００９４】
基準位置センサ１３１は、ユニット基板１８０の内側で第１リール１１１のリング部１１１ｄに対応する位置に取り付けられ、第１リール１１１が１回転する毎に遮光片１１１ｆが基準位置センサ１３１の検出光を遮光してオン動作するように配置されている。
【００９５】
同様に、基準位置センサ１３２は、第２リール１１２が１回転する毎に遮光片１１２ｆが検出光を遮光してオン動作し、基準位置センサ１３３は、第３リール１１３が１回転する毎に遮光片１１３ｆが検出光を遮光してオン動作するように、夫々ユニット基板１８０の内側に配置されている。
【００９６】
次に、ステッピングモータ１２１、１２２、１２３の回転力を各リール１１１、１１２、１１３に伝達する伝達手段１５０について説明する。図７は、図６における矢印ＶＩＩ−ＶＩＩ線に沿った伝達手段１５０の構成を表す断面図である。
【００９７】
伝達手段１５０は、ステッピングモータ１２１、１２２、１２３の回転力をシャフト１５１、及び中空シャフト１５２、１５３を介して出力するものであり、回転力を伝達する減速機構が縦長で箱状のケースベース１５０ａ、及びケースカバー１５０ｂからなるギアケース内に収容されている。ここで、ケースベース１５０ａ、及びケースカバー１５０ｂは、例えばアルミダイキャスト等の金属で形成されている。ケースベース１５０ａの周縁に設けられた取付け部とケースカバー１５０ｂの周縁部とを当接しネジ止めすることによって伝達手段１５０はギアケース内に閉塞される。
【００９８】
ステッピングモータ１２１、１２２、１２３は、その各駆動軸１２１ａ、１２２ａ、１２３ａがケースベース１５０ａ内に挿入された状態で、すなわちステッピングモータ１２１、１２２、１２３が互いに同一の方向を向きながらケースベース１５０ａの長手方向に沿って並設されている。
【００９９】
ケースベース１５０ａの中央にステッピングモータ１２１が取り付けられており、駆動軸１２１ａと円柱状のシャフト１５１の一端がカップリング１２１ｂで接続されステッピングモータ１２１の回転力がシャフト１５１に伝達されるようになっている。また、シャフト１５１の他端は、ケースカバー１５０ｂから外部に向けて突出している。
【０１００】
中空シャフト１５２は、中央の回転中心軸に沿って軸孔が貫通し、中空シャフト１５２の一端側には歯車１５２ａが一体的に形成されている。中空シャフト１５２を貫通する軸孔とシャフト１５１とは、互いに摺動可能な嵌合交差で形成されている。中空シャフト１５２の歯車１５２ａが形成された側には軸受１５６の外輪部が嵌着されている。そして、軸受１５６の内輪部と中空シャフト１５２の軸孔にシャフト１５１が挿入され、軸受１５６とカップリング１２１ｂとが近接するように軸受１５６の内輪部がシャフト１５１に嵌着されている。
【０１０１】
また、中空シャフト１５２の他端側は、ケースカバー１５０ｂから外部に向けてシャフト１５１よりも短く突出しており、第２リール１１２のボス部１１２ａと接続するためのネジ部１５２ｂが形成されている。
【０１０２】
中空シャフト１５３は、中空シャフト１５２とほぼ同様の形状を有し、中央の回転中心軸に沿って軸孔が貫通し、中空シャフト１５３の一端側には歯車１５３ａが一体的に形成されている。中空シャフト１５３を貫通する軸孔は、上述の中空シャフト１５２の外周面と摺動可能な嵌合交差で形成されている。中空シャフト１５３の歯車１５３ａが形成された側には軸受１５５の外輪部が嵌着されている。そして、軸受１５５の内輪部と中空シャフト１５３の軸孔に中空シャフト１５２が挿入され、軸受１５５と歯車１５２ａとが近接するように軸受１５５の内輪部が中空シャフト１５２に嵌着されている。
【０１０３】
ケースカバー１５０ｂの中央には軸孔１５０ｃが開口し、その軸孔１５０ｃの周縁に軸受１５４の外輪部が嵌着されている。そして、中空シャフト１５３の外周に軸受１５４の内輪部が嵌着されている。
【０１０４】
また、中空シャフト１５３の他端側は、ケースカバー１５０ｂの軸孔１５０ｃから外部に向けて中空シャフト１５２よりも短く突出しており、第３リール１１３のボス部１１３ａと接続するためのネジ部１５３ｂが形成されている。
【０１０５】
ステッピングモータ１２１に隣接して、ケースベース１５０ａの長手方向左側にはステッピングモータ１２２が取り付けられ、また長手方向右側にはステッピングモータ１２３が取り付けられている。
【０１０６】
ステッピングモータ１２２の駆動軸１２２ａには歯車１２２ｂが挿着され、中空シャフト１５２の歯車１５２ａと歯合している。これによりステッピングモータ１２２のからの回転力が中空シャフト１５２に伝達されるようになっている。
【０１０７】
また、ステッピングモータ１２３の駆動軸１２３ａには歯車１２３ｂが挿着され、中空シャフト１５３の歯車１５３ａと歯合している。これによりステッピングモータ１２３のからの回転力が中空シャフト１５３に伝達されるようになっている。
【０１０８】
以上、説明したリールユニットＲＵの構成によれば、シャフト１５１、中空シャフト１５２、１５３が夫々共通の回転軸周りに回転可能な多重軸構造となっており、これらのシャフトが各リールに接続して多重リール構造の回転リールの回転軸部が構成されている。そして、伝達手段１５０を介してステッピングモータ１２１、１２２、１２３の回転力が夫々シャフト１５１、中空シャフト１５２、１５３の一方側に伝達され、各シャフトに固着された第１リール１１１、第２リール１１２、第３リールが１１３回転するようになっている。
【０１０９】
なお、シャフト１５１、及び中空シャフト１５２、または中空シャフト１５２及び中空シャフト１５３は、隙間にグリス等の潤滑材を塗布したり、あるいは各シャフトの表面に潤滑材を含浸する等の表面処理を行って低摩擦化させて摺動可能にしてもよい。また、回転リールの半径方向のブレが少なく回転軸部への負荷が小さい等のリール表示装置に使用するものであれば、各シャフト間の嵌合交差をやや大きくし各シャフトを非接触に回転させるものでもよい。
【０１１０】
また、ステッピングモータ１２１、１２２、１２３は、シャフト１５１の回転中心軸と平行をなす同一方向を向き、回転半径方向（図７では左右方向）に並べて設置されている。そして、伝達手段１５０と共に内リール１１２内の一方側に収容されている。
【０１１１】
次に、スロットマシンＳＭに搭載された本リール表示装置１００の動作を説明する。
【０１１２】
遊技者等がスロットマシンＳＭのスタートレバーＭ７を傾倒操作し遊技の開始を指示すると、マイクロプロセッサ（ＭＰＵ）２００は、モータコントローラ２２１、２２２、２２３を制御し、各リールユニットＲＵのステッピングモータ１２１、１２２、１２３を駆動させるための駆動パルス信号を出力させる。
【０１１３】
ステッピングモータ１２１、１２２、１２３は、１パルスの信号が供給される毎に所定の角度だけ回転する。マイクロプロセッサ２００は、駆動パルス信号の周波数を制御して出力させることで、所定の回転数にステッピングモータ１２１、１２２、１２３を回転制御する。
【０１１４】
ステッピングモータ１２１に駆動パルス信号が供給されると、ステッピングモータ１２１から出力される回転力は、伝達手段１５０に備えられたシャフト１５１を介して第１リール１１１に伝達される。そして、駆動パルス信号の周波数に応じた回転数で第１リール１１１が回転する。
【０１１５】
第１リール１１１には遮光片１１１ｆが設けられており、第１リール１１１が１回転する毎に遮光片１１１ｆが基準位置センサ１３１のセンシング部を通過する。遮光片１１１ｆが基準位置センサ１３１のセンシング部で検出光を遮光すると、基準位置センサ１３１はオン動作し、第１リール１１１が特定の回転角度、すなわち基準位置にあることを示す検出信号を主制御ユニットＭＣＵに出力する。
【０１１６】
マイクロプロセッサ２００は、基準位置センサ１３１からの検出信号を受けた後、ステッピングモータ１２１へ出力した駆動パルス信号のパルス数をカウントすることで、第１リール１１１の回転角度を把握しながら回転制御を行うことができる。また、基準位置センサ１３１からの検出信号をカウントすることで、第１リール１１１の回転数（角速度または回転スピード）を演算することもできる。
【０１１７】
また、ステッピングモータ１２２に駆動パルス信号が供給されると、ステッピングモータ１２２から出力される回転力は、伝達手段１５０に備えられた歯車１２２ｂ、１５２ａからなる減速機構を介して中空シャフト１５２に伝達され、供給された駆動パルス信号の周波数に対応する回転数で第２リール１１２が回転する。
【０１１８】
第２リール１１２が１回転する毎に第２リール１１２に設けられている遮光片１１２ｆが基準位置センサ１３２の検出光を遮光して基準位置センサ１３２はオン動作し検出信号を出力する。主制御ユニットＭＣＵは、基準位置センサ１３２の検出信号を受けることにより、第２リール１１２の回転角度を知ることができる。
【０１１９】
同様に、ステッピングモータ１２３に駆動パルス信号が供給されると、ステッピングモータ１２３の回転力が伝達手段１５０に備えられた歯車１２３ｂ、１５３ａからなる減速機構を介して中空シャフト１５３に伝達され、供給された駆動パルス信号の周波数に対応する回転数で第３リール１１３が回転する。そして、第３リール１１３が１回転する毎に遮光片１１３ｆで基準位置センサ１３３の検出光が遮光され基準位置センサ１３３はオン動作し、主制御ユニットＭＣＵは、基準位置センサ１３２からの検出信号を受けることにより、第３リール１１３の回転角度を把握しながら回転動作制御を行う。
【０１２０】
このように、第１リール１１１、第２リール１１２、及び第３リール１１３は、夫々ステッピングモータ１２１、１２２、１２３により独立して回転制御される。
【０１２１】
第１リール１１１、第２リール１１２、第３リール１１３は夫々異なる回転数で回転するものでもよいし、また必ずしも同方向に回転しなくてもよい。
【０１２２】
回転リールＲ１、Ｒ２、Ｒ３が、所定の回転数（例えば８０ｒｐｍ程度）に達すると、回転リールの停止操作（目押し）が有効になる。遊技者等により任意の順序でストップボタンＭ８、Ｍ９、Ｍ１０が押圧操作されると、マイクロプロセッサ２００は、夫々に対応する回転リールＲ１、Ｒ２、Ｒ３を制動しながら停止させる制動制御を行う。
【０１２３】
例えば、ストップボタンＭ１０が押圧操作され、回転リールＲ３（ここでは、第１リール１１１、第２リール１１２、第３リール１１３から構成されている）を停止させる指示がなされると、マイクロプロセッサ２００は、各リール１１１、１１２、１１３を所定の減速パターンで減速するように制動制御する。この場合、マイクロプロセッサ２００は、モータコントローラ２２１、２２２、２２３を制御し駆動パルス信号の周期を次第に遅く（周波数を小さく）しながら最終的に各リール１１１、１１２、１１３を停止させる。
【０１２４】
このとき、ステッピングモータ１２１からは制動力が出力され、伝達手段１５０、及び伝達手段１５０に備えられているシャフト１５１を介して第１リール１１１に伝達される。これにより、第１リール１１１が回転することによって生じる慣性力に対抗して、第１リール１１１が制動される。
【０１２５】
第２リール１１２、第３リール１１３についても同様に、ステッピングモータ１２２、１２３から出力される制動力が、伝達手段１５０、及び伝達手段１５０に備えられている中空シャフト１５２、１５３を介して第２リール１１２、第３リール１１３に伝達され、第２リール１１２、第３リール１１３が制動される。
【０１２６】
次に、各リールから構成される回転リールを備えた本リール表示装置１００による絵柄の具体的な表示例を説明する。
【０１２７】
図８は、回転リールＲ１、Ｒ２、Ｒ３の第１リール１１１に巻装されるリールテープ１１１ｌ、１１１ｍ、１１１ｎを例示する図、図９は、第２リール１１２に巻装されるリールテープ１１２ｌ、１１２ｍ、１１２ｎを例示する図、図１０は、第３リール１１３に巻装されるリールテープ１１３ｌ、１１３ｍ、１１３ｎを例示する図である。また、図１１は、本リール表示装置１００により観察面側に表示される絵柄の表示例を示す図である。
【０１２８】
図８において、第１リール１１１に巻装されるリールテープは、ほぼ透明なフィルムからなるテープ部材に様々な形の細線または太線で描かれた輪郭を有し、この輪郭で縁取られた内側は透明、または着色された模様若しくはグレースケール模様の半透明領域となっている。
【０１２９】
図９において、第２リール１１２に巻装されるリールテープは、光を透過または散乱させる特性を有するフィルムからなるテープ部材に透明または半透明の領域を含む様々な種類の絵柄が長手方向に沿って複数個描かれている。
【０１３０】
図１０において、第２リール１１２に巻装されるリールテープは、光を透過または散乱させる特性を有するフィルムからなるテープ部材に、複数種類の色または模様が長手方向に沿って変化するように描かれている。
【０１３１】
このような絵柄または模様等が描かれたリールテープが各リールの外周に巻装され、これらの絵柄が図１１に示すように観察面側に重ねて表示される。
【０１３２】
つまり、第２リール１１２に描かれた絵柄が内側に位置する第３リール１１３の色または模様により脚色され、更に外側に位置する第１リール１１１の透明または半透明領域を通して視認される。
【０１３３】
例えば、図１１に示すように第２リール１１２の絵柄が個別に着色され、中央のラインＬ１に揃う第２リール１１２に描かれた「ベル」の絵柄に第１リール１１１に描かれた「ハート」形の輪郭が重ねて表示される。
【０１３４】
このように、多重リール構造の回転リールにより、様々な組合せの表示態様で絵柄を演出表示することが可能になる。そして、例えば「ベル」の絵柄と「ハート」形の輪郭とが同時に揃うことでより多くのメダルを配当する等、遊技の興趣を高めることができる。
【０１３５】
なお、各リールに巻装されるリールテープの光学的特性、また各リールに描かれる絵柄等は上述の例に限定されるものではない。
【０１３６】
また、本実施形態では、３個のリールが半径方向に多重に配置されたリール表示装置について説明したが、回転リールの回転軸部を３個以上の軸を有する多重軸構造にすることで、その軸数に対応する数のリールが多重に配置された多重リール構造のリール表示装置も実現することができる。
【０１３７】
本実施形態のリール表示装置１００によれば、多重リール構造の回転リールの回転軸部を構成するシャフト１５１、中空シャフト１５２、１５３が夫々共通の回転軸周りで回転可能な多重軸構造となっており、第１リール１１１、第２リール１１２、第３リール１１３のボス部を各シャフトの端部に固着させることで、各リールが半径方向に多重に配置された多重リール構造のリール表示装置を実現することができる。
【０１３８】
また、回転リールの回転軸部が多重軸構造となっているので、各シャフトに伝達手段１５０を介して回転力を付与するステッピングモータ１２１、１２２、１２３を各シャフトの一方側に配置することができる。これにより、ステッピングモータ１２１、１２２、１２３、伝達手段１５０を第３リール１１３の内側に収容して設置することができる。
【０１３９】
また、ステッピングモータ１２１、１２２、１２３は、回転軸部の一方側に並べて設置することができるので、従来よりも大型で高トルクのステッピングモータでも、リールユニットＲＵ内に収容することが可能になる。したがって、十分な出力性能を有するステッピングモータを使用して、確実に回転リールの回転及び制動制御を実行することができる。
【０１４０】
【発明の効果】
本願請求項１に係る発明によれば、スロットマシン等の遊技機に搭載されるリール表示装置において、３個以上のリールに固着される各軸部材を所定の回転中心軸周りで回転可能な多重軸構造とすることで、各軸部材の一方側に各リールを固着し、各軸部材の他方側に駆動モータ及び伝達手段をまとめて設置することができる。これにより、駆動モータ及び伝達手段からなる駆動機構をリールの内側に収容するとともに、３以上のリールが多重に配置されたリール表示装置を実現することができる。
【０１４１】
本願請求項２〜４に係る発明によれば、スロットマシン等の遊技機に搭載されるリール表示装置において、第１リールの回転軸としての第１軸部材が第２リールの回転軸としての第２軸部材の軸孔に挿入され、更に、第２軸部材が第３リールの回転軸としての第３軸部材の軸孔に挿入されることで、第１、第２及び第３リールが共通の回転中心軸周りで回転可能になるとともに、各リールを回転半径方向に重ねて配置することができる。すなわち、３個のリールが多重に配置された多重リール構造のリール表示装置を実現することができる。
【０１４２】
本願請求項３に係る発明によれば、軸部材の一方側に回転力を付与する第１、第２及び第３駆動モータを回転中心軸と平行に並べて設置することで、リールの内側に各駆動モータを収容することができる。
【０１４３】
本願請求項５に係る発明によれば、遊技機に搭載されたリール表示装置が、第１、第２及び第３リールの外周面に描かれた透明又は着色された半透明領域を含む絵柄を多重に表示することで、様々な組合せの表示態様で絵柄を演出表示することができ、遊技の興趣を高めることができる。
【図面の簡単な説明】
【図１】実施形態に係るスロットマシンの外部構造を表した正面図
【図２】実施形態に係るスロットマシンの内部構造を表した平面図
【図３】実施形態に係るスロットマシンの制御システム構成を表した回路ブロック図
【図４】実施形態に係るリール表示装置の外観構造を表した斜視図
【図５】実施形態に係るリールユニットの構成を表す分解斜視図
【図６】実施形態に係るリールユニットの部分断面平面図
【図７】実施形態に係るリールユニットに備えられる伝達手段の構成を表す断面図。
【図８】実施形態に係る第１リールに巻装されるリールテープの絵柄を例示する図
【図９】実施形態に係る第２リールに巻装されるリールテープの絵柄を例示する図
【図１０】実施形態に係る第３リールに巻装されるリールテープの絵柄を例示する図
【図１１】実施形態に係るリール表示装置による絵柄表示を例示する図。
【図１２】従来のリール表示装置の構成を表す断面図
【符号の簡単な説明】
１００…リール表示装置
１１１…第１リール
１１２…第２リール
１１３…第３リール
１２１…ステッピングモータ
１２２…ステッピングモータ
１２３…ステッピングモータ
１５０…伝達手段
１５１…シャフト
１５２…中空シャフト
１５３…中空シャフト
ＳＭ…スロットマシン
ＲＵ…リールユニット
【図１】
2004357853.tif 000003
【図２】
2004357853.tif 000004
【図３】
2004357853.tif 000005
【図４】
2004357853.tif 000006
【図５】
2004357853.tif 000007
【図６】
2004357853.tif 000008
【図７】
2004357853.tif 000009
【図８】
2004357853.tif 000010
【図９】
2004357853.tif 000011
【図１０】
2004357853.tif 000012
【図１１】
2004357853.tif 000013
【図１２】
2004357853.tif 000014